(57)【要約】【課題】医療用の動画ファイルに関する編集作業を容易にする医療動画処理システムを提供する。【解決手段】施術に関する複数の動画ファイルを複数の入力系統に分けて入力するエンコーダ１２０と、複数の動画ファイルを共通のタイムコードに対応付けて記憶するサーバ装置１３０と、複数の動画ファイル及び動画ファイルに関する情報を表示する視聴端末装置１４０と、を備え、視聴端末装置１４０は、複数の動画ファイルに係る複数のタイムラインを入力系統ごとに分けて表示し、表示されているタイムラインに対応する複数の動画ファイルに含まれる画像のうち、当該タイムラインに含まれる或る時点のタイムコードに対応付いている複数の画像の少なくとも一部を同期表示し、ユーザの操作入力を受け付けて同期表示領域に同期表示されている動画ファイルに関する編集処理を実行する。【選択図】図１
2019118040.tif 000002
【特許請求の範囲】
【請求項１】
施術に関する複数の動画ファイルを複数の入力系統に分けて入力する動画入力手段と、
前記動画入力手段が入力した複数の動画ファイルを、前記施術が行われている期間の或る時点を始点として定められる共通のタイムコードに対応付けて記憶する記憶手段と、
前記記憶手段に記憶されている複数の動画ファイル及び動画ファイルに関する情報を表示する表示手段と、
前記表示手段に対するユーザの操作入力を受け付ける操作入力手段と、
を備え、
前記表示手段の表示領域には、
前記施術に関する複数の動画ファイルに対応する時間帯を表す複数のタイムラインを、前記入力系統ごとに分けて表示するタイムライン表示領域と、
前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、
前記操作入力手段が受け付けた操作入力に基づいて、前記同期表示領域に同期表示されている動画ファイルに関する編集処理を実行する編集手段を、更に備える医療動画処理システム。
【請求項２】
前記編集手段は、
前記タイムライン表示領域に表示されている前記タイムラインに含まれる或る時点の前記タイムコードに対応付けて、該タイムラインに対してタグ表示をユーザの操作入力に基づいて付す第一タグ処理と、
前記第一タグ処理によって付されたタグ表示に対応する前記タイムコードに対応付けて任意のコメントを、ユーザの操作入力に基づいて入力するコメント処理と、を実行する請求項１に記載の医療動画処理システム。
【請求項３】
前記編集手段は、前記タイムライン表示領域に表示されている前記タイムラインに対応する動画ファイルに含まれる画像を、静止画像として取り出すキャプチャ処理を実行する場合に、前記第一タグ処理を実行して該画像に対応する前記タイムコードに対応付けてタグ表示を付す請求項２に記載の医療動画処理システム。
【請求項４】
前記編集手段は、
前記タイムライン表示領域に表示されている前記タイムラインに含まれる第一時点の前記タイムコードから第二時点の前記タイムコードまでの時間帯を、ユーザの操作入力に基づいて特定する特定処理と、
前記特定処理によって特定された時間帯に含まれる前記タイムコードに対応付いている動画ファイルから、該時間帯の映像部分をダウンロードするダウンロード処理と、を実行する請求項２又は３に記載の医療動画処理システム。
【請求項５】
前記編集手段は、前記特定処理によって特定された前記時間帯に含まれる前記タイムコードに対応付いている動画ファイルを複数指定した場合、複数の動画ファイルに対して前記ダウンロード処理を実行する請求項４に記載の医療動画処理システム。
【請求項６】
前記特定処理を実行する場合の少なくとも一部において、前記第一時点及び前記第二時点のうち少なくとも一方を、前記第一タグ処理によって付されたタグ表示を指定するユーザの操作入力に基づいて特定する請求項４又は５に記載の医療動画処理システム。
【請求項７】
前記施術に関するイベント情報及び該イベント情報に対応する時刻情報を、外部システムから入力する外部入力手段を備え、
前記編集手段は、前記外部入力手段が入力した前記イベント情報及び前記時刻情報に基づいて、前記タイムライン表示領域に表示されている前記タイムラインに含まれる或る時点の前記タイムコードに対応付けて、該タイムラインに対してタグ表示を付す第二タグ処理を実行する請求項１から６のいずれか一項に記載の医療動画処理システム。
【請求項８】
前記特定処理を実行する場合の少なくとも一部において、前記第一時点及び前記第二時点のうち少なくとも一方を、前記第二タグ処理によって付されたタグ表示を指定するユーザの操作入力に基づいて特定する請求項４乃至６に従属している請求項７に記載の医療動画処理システム。
【請求項９】
前記施術の術野と、前記施術の被施術者に関する生体情報を表示する生体情報モニタと、を撮影する複数の撮影装置と、
複数の前記撮影装置による撮影に関する制御を、ユーザの操作に基づいて行う撮影制御手段と、を備え、
複数の前記動画入力手段は、前記複数の前記撮影装置ごとに動画ファイルを入力する請求項１から８のいずれか一項に記載の医療動画処理システム。
【発明の詳細な説明】
【技術分野】
【０００１】
本発明は、医療動画処理システムに関する。
【背景技術】
【０００２】
近年、外科手術において複数の視点を確保する又は施術内容を記録する等の目的のため、患部を直接に視認するのみならず、複数の撮影装置を用いて動画を撮影してモニタに表示する医療動画処理システムが存在する。
この種の医療動画処理システムに関する従来発明として、下記の特許文献１及び特許文献２を例示する。
【０００３】
特許文献１には、遠隔操作される術具の制御情報、患部や術具を撮影した画像情報、及び患者の生体情報等を、統一されたタイムコードを添えて記録し、記録されているタイムコードと各情報を元に施術を再現する発明が開示されている。
【０００４】
特許文献２には、医療動画にコマンド（ポインタやユーザのコメント）を付す編集処理を行い、編集後の動画を再生するにあたって指定した時刻に任意のコマンドを表示させる発明が開示されている。
【先行技術文献】
【特許文献】
【０００５】
【特許文献１】特開２００２−２７２７５８号公報
【特許文献２】特開２００１−１９５８６９号公報
【発明の概要】
【発明が解決しようとする課題】
【０００６】
特許文献１に係る発明は、タイムコードに基づいて時間指定で施術の一部を切り出すことが可能であるものの、その指定した時間における施術内容を確認しながら切り出すことができないため、施術後の動画の確認作業に手間がかかる。
特許文献２に係る発明は、医療用の動画にコマンドを付すことによって、施術後の動画確認を支援することができるものの、その編集はメイン画面（同文献の図１３におけるモニタの中央部）に表示される医療動画に対するものであって、サブ画面（同文献の図１３におけるモニタの左上隅部）に表示される動画に対する工夫が欠けている。
【０００７】
本発明は、上記の課題に鑑みなされたものであり、医療用の動画ファイルに関する編集作業を容易にする医療動画処理システムを提供するものである。
【課題を解決するための手段】
【０００８】
本発明によれば、施術に関する複数の動画ファイルを複数の入力系統に分けて入力する動画入力手段と、前記動画入力手段が入力した複数の動画ファイルを、前記施術が行われている期間の或る時点を始点として定められる共通のタイムコードに対応付けて記憶する記憶手段と、前記記憶手段に記憶されている複数の動画ファイル及び動画ファイルに関する情報を表示する表示手段と、前記表示手段に対するユーザの操作入力を受け付ける操作入力手段と、を備え、前記表示手段の表示領域には、前記施術に関する複数の動画ファイルに対応する時間帯を表す複数のタイムラインを、前記入力系統ごとに分けて表示するタイムライン表示領域と、前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、前記操作入力手段が受け付けた操作入力に基づいて、前記同期表示領域に同期表示されている動画ファイルに関する編集処理を実行する編集手段を、更に備える医療動画処理システムが提供される。
【０００９】
上記発明によれば、施術に関する動画ファイルを同期表示し、ユーザは動画ファイルの内容及びタイムラインを確認しながら、各動画ファイルに対して編集処理を行うことができるので、動画ファイルの編集作業を容易に行うことができる。
【発明の効果】
【００１０】
本発明によれば、医療用の動画ファイルに関する編集作業を容易にする医療動画処理システムが提供される。
【図面の簡単な説明】
【００１１】
【図１】本実施形態に係る医療動画処理システムを示す図である。
【図２】エンコーダの表示領域に表示される画面の具体例を示す図である。
【図３】エンコーダの表示領域に表示される画面の具体例を示す図である。
【図４】エンコーダの表示領域に表示される画面の具体例を示す図である。
【図５】視聴端末装置の表示領域に表示される画面の具体例を示す図である。
【図６】視聴端末装置の表示領域に表示される画面の具体例を示す図である。
【図７】視聴端末装置の表示領域に表示される画面の具体例を示す図である。
【図８】視聴端末装置の表示領域に表示される画面の具体例を示す図である。
【図９】視聴端末装置の表示領域に表示される画面の具体例を示す図である。
【図１０】タイムライン表示領域の一部を拡大した拡大図である。
【図１１】タイムライン表示領域の一部を拡大した拡大図である。
【図１２】タイムライン表示領域の一部を拡大した拡大図である。
【図１３】視聴端末装置においてキャプチャ処理画面がポップアップした場合の具体例を示す図である。
【図１４】視聴端末装置において「セクション」タグが選択された場合の具体例を示す図である。
【図１５】「セクション」タグが選択された場合における関連情報表示領域を拡大した拡大図である。
【発明を実施するための形態】
【００１２】
以下、本発明の実施形態について、図面を用いて説明する。なお、すべての図面において、同様の構成要素には同一の符号を付し、適宜に説明を省略する。
【００１３】
＜医療動画処理システム１００に含まれる各構成要素について＞
図１は、本実施形態に係る医療動画処理システム（以下、医療動画処理システム１００と称す）を示す図である。
なお、図１に図示される矢印は、各構成要素の間において授受される動画ファイルの出力元と入力先とを示すものである。従って、動画ファイル以外の情報やデータの授受については、必ずしも各矢印が示す内容と一致しなくてよい。
以下の説明において、動画ファイルとは、映像データのみから構成されるものであってもよく、映像データと音声データとを含むものであってもよい。
【００１４】
医療動画処理システム１００は、複数の撮影装置（カメラ１１１〜カメラ１１４）と、エンコーダ１２０と、サーバ装置１３０と、視聴端末装置１４０と、を備えている。
【００１５】
カメラ１１１〜カメラ１１４は、施術を受けている被施術者（患者）やその周辺を撮影して、動画ファイルを生成する撮影装置である。
例えば、カメラ１１１及びカメラ１１３は、施術の術野を撮影するものであり、カメラ１１１に比べてカメラ１１３の方が広い範囲を撮影する。また、カメラ１１２は心拍数モニタを撮影し、カメラ１１４は核磁気共鳴画像（magnetic resonance imaging：MRI）等を映し出したモニタを撮影し、カメラ１１２及びカメラ１１４は、施術の被施術者に関する生体情報を表示する生体情報モニタを撮影する点において共通している。
なお、ここで挙げたカメラ１１１〜カメラ１１４の数や撮影対象は例示であり、本発明の実施態様を制限するものではない。
【００１６】
エンコーダ１２０は、カメラ１１１〜カメラ１１４によって生成された動画ファイルに対してエンコード処理（符号化）を施し、サーバ装置１３０への転送および記憶に適した形式に当該動画ファイルを変換する。
なお、エンコーダ１２０は、圧縮処理を動画ファイルに施してサーバ装置１３０に記憶させることが好ましい。これにより、サーバ装置１３０に記憶される動画ファイルの容量を削減することができるからである。
【００１７】
エンコーダ１２０は、カメラ１１１〜カメラ１１４による撮影に関する制御を、ユーザの操作に基づいて行い、撮影により生成された施術に関する動画ファイルを複数の入力系統ごと（カメラ１１１〜カメラ１１４ごと）に分けて入力する。即ち、エンコーダ１２０は、本発明に係る動画入力手段と撮影制御手段とを構成する。
ここで「カメラ１１１〜カメラ１１４による撮影に関する制御」とは、本実施形態においては、カメラ１１１〜カメラ１１４に動画の録画開始、録画の一時停止、録画停止及び静止画の撮影を実行させることである。なお、ここで挙げたカメラ１１１〜カメラ１１４による撮影に関する制御の内容は例示であり、本発明の実施態様を制限するものではない。
【００１８】
サーバ装置１３０は、エンコーダ１２０から転送された動画ファイルを記憶する。より詳細には、サーバ装置１３０は、エンコーダ１２０が入力した複数の動画ファイルを、施術が行われている期間の或る時点を始点として定められる共通のタイムコードに対応付けて記憶する。即ち、サーバ装置１３０は、本発明に係る記憶手段を構成する。
ここでタイムコードとは、動画ファイルに対応付けられる時系列情報（動画ファイルを構成するフレームの順序情報）であり、フレームごとに与えられることが好ましい。タイムコードの始点は、施術が行われている期間内においてエンコーダ１２０のユーザ（例えば、施術者やその補助者）が任意に定めてもよいし、施術の開始時点を表す信号を外部装置（図示せず）から入力し、当該信号をトリガとして定めてもよい。
【００１９】
視聴端末装置１４０は、サーバ装置１３０に記憶されている動画ファイルを再生する為のアプリケーションソフト（ビューア）がインストールされているコンピュータ機器である。
視聴端末装置１４０は、サーバ装置１３０に記憶されている動画ファイルにアクセスし、共通のタイムコードに対応付けられた複数の動画ファイルを表示（同期再生）し、更に同期再生中の動画ファイルに関する情報も合わせて表示することができる。また、視聴端末装置１４０は、自機に対するユーザの操作入力を受け付けて、受け付けた操作入力に基づいて、後述の同期表示領域に表示されている動画ファイルに関する編集処理を実行することができる。即ち、視聴端末装置１４０は、本発明に係る表示手段と操作入力手段とを構成する。
なお、以下の説明において「動画ファイルの表示」と「動画ファイルの再生」とは概ね同義であり、特に区別無く用いる。
【００２０】
図１においては、視聴端末装置１４０が単一であるかのように図示しているが、医療動画処理システム１００に複数の視聴端末装置１４０が設けられていてもよい。また、視聴端末装置１４０にインストールされているビューアは、必ずしも本発明専用のアプリケーションソフトによって実現されなくてもよく、汎用のアプリケーションソフト（例えば、インターネットブラウザ）やこれを改良又は変更したソフトによって実現されてもよい。
【００２１】
サーバ装置１３０は、視聴端末装置１４０が受け付けた操作入力に基づいて、視聴端末装置１４０の表示領域の一部（後述する同期表示領域）に同期表示されている動画ファイルに関する編集処理を実行することができる。即ち、サーバ装置１３０は、本発明に係る編集手段を構成する。
本実施形態においてはサーバ装置１３０（編集手段）と視聴端末装置１４０（表示手段及び操作入力手段）とが、個別の装置として実現されている。なぜならば、視聴端末装置１４０において編集処理を実行可能とするには、編集対象の動画ファイルをサーバ装置１３０から視聴端末装置１４０に転送した後に編集処理を実行する必要がある。このようなシステム構成にすると、医療動画処理システム１００（サーバ装置１３０）における動画ファイルの管理について十分な安全性を確保することが困難となり、不適切な動画ファイルの流出を招く可能性もある。
医療用の動画ファイルは秘匿性の高い個人情報であり、該動画ファイルの外部流出を防止するため、本実施形態における医療動画処理システム１００は上記のような構成を採用している。
【００２２】
＜エンコーダ１２０の操作について＞
続いて、エンコーダ１２０の操作について、図２〜図４を用いて説明する。
図２〜図４は、エンコーダ１２０の表示領域に表示される画面の具体例を示す図である。図２は、録画する前のエンコーダ１２０の表示領域を示す図である。図３は、録画中のエンコーダ１２０の表示領域を示す図である。図４は、録画中に拡張画面を表示した場合のエンコーダ１２０の表示領域を示す図である。
【００２３】
エンコーダ１２０の表示領域は、グラフィカルユーザインターフェース（Graphical User Interface：GUI）として機能し、表示上のアイコン等を、エンコーダ１２０に付設されている不図示の入力装置（マウスやキーボード等）を用いて操作することによって、ユーザはエンコーダ１２０を操作することができる。また、エンコーダ１２０の表示領域がタッチパネルである場合には、当該表示領域自体が入力装置として機能する。
【００２４】
エンコーダ１２０の表示領域には、入力画面１２０１と、出力画面１２０２と、状態表示１２０３と、が表示される。
入力画面１２０１は、カメラ１１１〜カメラ１１４から入力した動画ファイルのいずれかを再生する画面である。例えば、図２〜図４には、カメラ１１１から入力した動画ファイルが入力画面１２０１に再生されている状態が図示されている。
出力画面１２０２は、エンコーダ１２０からサーバ装置１３０に出力する動画ファイルを再生する画面である。エンコーダ１２０による出力形式には、録画形式（入力した動画ファイルをサーバ装置１３０に記憶させる出力形式）、ライブ形式（入力した動画ファイルを視聴端末装置１４０にライブ配信可能に出力する形式）及び録画形式及びライブ形式の組み合わせの三パターンが含まれる。なお、図３及び図４に図示するエンコーダ１２０の表示領域は、エンコーダ１２０が録画形式で動画ファイルを出力している場合のものである。
状態表示１２０３は、その時点において出力画面１２０２に再生されている動画ファイル、即ちサーバ装置１３０に出力されている動画ファイルの状態を表示している。具体的には、状態表示１２０３は、いずれの出力形式で動画ファイルが出力されているか、出力している時間、出力した動画ファイルのデータ容量等が表示される。
【００２５】
エンコーダ１２０の表示領域には、録画開始ボタン１２０４と、録画停止ボタン１２０５と、静止画撮影ボタン１２０６と、録画一時停止ボタン１２０７と、が表示される。
録画開始ボタン１２０４は、入力画面１２０１に再生されている動画ファイルの録画（サーバ装置１３０への記憶処理）を開始する契機となる操作を受け付けるボタンである。
録画停止ボタン１２０５は、動画ファイルの録画（サーバ装置１３０への記憶処理）を停止する契機となる操作を受け付けるボタンである。
静止画撮影ボタン１２０６は、入力画面１２０１に再生されている動画ファイルの１フレームを、静止画としてサーバ装置１３０に記憶させる契機となる操作を受け付けるボタンである。
録画一時停止ボタン１２０７は、動画ファイルの録画（サーバ装置１３０への記憶処理）を一時停止する契機となる操作、又は一時停止を解除する契機となる操作を受け付けるボタンである。
なお、録画開始ボタン１２０４は動画ファイルを録画している期間（録画を一時停止している期間を含む）において表示されず、録画一時停止ボタン１２０７は動画ファイルを録画していない期間において表示されない。従って、録画していない期間に録画開始ボタン１２０４を操作した場合には録画開始ボタン１２０４は録画一時停止ボタン１２０７に置換され、録画している期間に録画停止ボタン１２０５を操作した場合には録画一時停止ボタン１２０７は録画開始ボタン１２０４に置換される。
【００２６】
エンコーダ１２０の表示領域には、施術情報表示１２０８と、出力情報表示１２０９と、が表示される。
施術情報表示１２０８は、入力画面１２０１に再生されている動画ファイルに係る施術に関連する情報、具体的には、被施術者（患者）の識別番号と名前、施術者の名前、診療科の名称、施術を行っている場所の名称等を表示している。施術者の名前、診療科の名称については、施術情報表示１２０８に対するユーザの操作入力によって選択することができる。施術情報表示１２０８に表示される情報のうち、ユーザの操作入力を要さない情報については不図示の外部システム（例えば、電子カルテシステム等）からインポートしてもよい。
出力情報表示１２０９は、出力画面１２０２に再生されている動画ファイルのファイル形式、動画ファイルの再生と共に音声出力しているか否か、いずれの出力形式でサーバ装置１３０に出力しているか、を表示している。なお、ここで挙げた出力情報表示１２０９に表示される情報は、出力情報表示１２０９に対するユーザの操作入力によって選択することができる。
【００２７】
エンコーダ１２０の表示領域には、拡張表示作動ボタン１２１０と、拡張表示停止ボタン１２１４と、が表示される。
拡張表示作動ボタン１２１０は、入力画面１２０１又は出力画面１２０２に再生している動画ファイルとは別の入力系統から入力した動画ファイルを再生する拡張表示領域をオンにする契機となる操作を受け付けるボタンである。例えば、図４には、拡張表示領域にカメラ１１２から入力した動画ファイルをサブ画面１２１１に、カメラ１１３から入力した動画ファイルをサブ画面１２１２に、カメラ１１４から入力した動画ファイルをサブ画面１２１３に表示している状態を図示している。当該状態において、拡張表示領域において再生される動画ファイルを録画している場合には、録画一時停止ボタン１２０７と同様のアイコンが当該動画ファイルに重畳して表示され、当該アイコンを操作すると録画が一時停止となる。また、当該状態において、拡張表示領域において再生される動画ファイルを録画していない場合には、録画開始ボタン１２０４と同様のアイコンが当該動画ファイルに重畳して表示され、当該アイコンを操作すると録画が開始される。
拡張表示停止ボタン１２１４は、上記の拡張表示領域が表示されている場合において表示され、拡張表示領域をオフにする契機となる操作を受け付けるボタンである。
【００２８】
＜視聴端末装置１４０における同期表示について＞
続いて、視聴端末装置１４０における同期表示について、図５〜図１２を用いて説明する。
図５〜図９は、視聴端末装置１４０の表示領域に表示される画面の具体例を示す図である。より詳細には、図５は、同期表示領域ＤＡ１において一つの動画ファイルをメイン画面で再生し、他の動画ファイルをサブ画面で再生する表示態様を示す図である。図６は、同期表示領域ＤＡ１を四分割して、それぞれに４つの動画ファイルを再生する表示態様を示す図である。図７は、同期表示領域ＤＡ１のメイン画面にカーソルを合わせた状態を示す図である。図８は、同期表示領域ＤＡ１のメイン画面の下方に表示される静止画像にカーソルを合わせた状態を示す図である。図９は、同期表示領域ＤＡ１のサブ画面にカーソルを合わせた状態を示す図である。
図１０〜図１２は、タイムライン表示領域ＤＡ３の一部を拡大した拡大図である。より詳細には、図１０は、タイムライン表示領域ＤＡ３の左方部分を拡大した拡大図である。図１１は、タイムライン表示領域ＤＡ３の中央部分を拡大した拡大図である。図１２は、タイムライン表示領域ＤＡ３の右方部分を拡大した拡大図である。
【００２９】
視聴端末装置１４０の表示領域は、グラフィカルユーザインターフェースとして機能し、表示上のアイコン等を、視聴端末装置１４０に付設されている不図示の入力装置を用いて操作することによって、ユーザは視聴端末装置１４０を操作することができる。また、視聴端末装置１４０の表示領域がタッチパネルである場合には、当該表示領域自体が入力装置として機能する。
なお、以下の説明において、入力装置による操作対象を示すカーソルを、ポインタ１４０１と呼称する。
【００３０】
視聴端末装置１４０の表示領域には、同期表示領域ＤＡ１と、関連情報表示領域ＤＡ２と、タイムライン表示領域ＤＡ３と、が含まれる。
なお、図５〜図９において破線で示す範囲は、ここで列挙した表示領域の範囲を示すものであり、実際に視聴端末装置１４０の表示領域に表示されるものではない。
【００３１】
同期表示領域ＤＡ１は、タイムライン表示領域ＤＡ３に表示されているタイムラインに対応する複数の動画ファイルに含まれる画像のうち、タイムライン表示領域ＤＡ３に表示されているタイムラインに含まれる或る時点のタイムコードに対応付いている複数の画像を同期表示する。
例えば、ユーザの操作入力によって分割態様選択部１４２５の左側のアイコン（図１２参照）が選択された場合、同期表示領域ＤＡ１は、カメラ１１１から入力した動画ファイルをメイン画面に表示し、カメラ１１２〜カメラ１１４から入力した動画ファイルをサブ画面で表示する（図５参照）。
或いは、ユーザの操作入力によって分割態様選択部１４２５の右側のアイコンが選択された場合、同期表示領域ＤＡ１は、カメラ１１１〜カメラ１１４から入力した４つの動画ファイルを、均等な表示領域に四分割して表示する（図６参照）。
【００３２】
同期表示領域ＤＡ１において、複数の動画ファイルを同期して再生しようとすると、各動画のビットレートの違いにより、動画の開始や再生において、読み込み時間に差異が生じる。そして、その読み込み時間の差異の大きさは、サーバ装置１３０、視聴端末装置１４０及びこれらを接続するネットワーク回線（不図示）の処理能力等に影響を受けるため、一定にはならない。そこで、視聴端末装置１４０において、各画面における動画ファイルを再生する機能（以後、再生プレイヤーと称する）の間でバッファ時間に関するコミュニケーションを行い、上記の問題を解決している。
例えば、一の画面（例えばメイン画面）で動画ファイルを再生する場合、最初の段階で該動画ファイルの全データを読み込まず、例えば最初の５秒間だけを読み込み、それを再生している間に次の５秒間を読み込む。これを順次繰り返すことによって、切れ目の無い再生を実現している。
このような所定時間分のデータをバッファに記憶させる時間を利用し、例えば、一の画面（例えばメイン画面）と他の画面（例えばサブ画面）で同時に再生を開始する場合に、メイン画面の再生プレイヤーが動画ファイルの５秒分のデータを読み込みが終わった段階でメイン画面の再生プレイヤーからサブ画面の再生プレイヤーにその旨を通知し、その通知をもって双方の再生が開始されるように構成している。
なお、このような通知は、複数の再生プレイヤーで同時に再生を開始する場合に限られず、一の再生プレイヤーにおいて動画ファイルが再生されている最中に他の再生プレイヤーで動画ファイルの再生が開始される場合、複数の再生プレイヤーにおいて動画ファイルが再生されている最中に一部の再生プレイヤーで動画ファイルの再生が途切れる（録画していない時間帯になる）場合等において、更に行われてもよい。
【００３３】
関連情報表示領域ＤＡ２は、同期表示領域ＤＡ１に表示されている動画ファイルに関連する情報をサーバ装置１３０や不図示の他の装置（又はシステム）から取得して選択的に表示する。
例えば、関連情報表示領域ＤＡ２において「イベント」タグが選択されている場合（図５等に図示されている状態）、麻酔投与を管理している不図示の外部システムから入力した施術に関するイベント情報（手術の開始や麻酔投与の開始等）及び該イベント情報に対応する時刻情報が、関連情報表示領域ＤＡ２に表示される。
或いは、関連情報表示領域ＤＡ２において「コメント」タグが選択されている場合（図８に図示されている状態）、後述するキャプチャ処理によって取り込んだ静止画像に対応する時刻（タイムコード）及び該静止画像に対してユーザが付けたコメントが、関連情報表示領域ＤＡ２に表示される。
或いは、関連情報表示領域ＤＡ２において「セクション」タグが選択されている場合（図１４に図示されている状態）、後述するセクション特定処理によって指定された時間帯が、関連情報表示領域ＤＡ２に表示される。なお、以下の説明においてセクションとは、セクション特定処理によって指定された時間帯を意味する。
或いは、関連情報表示領域ＤＡ２において「術式」タグが選択されている場合（図示せず）、同期表示領域ＤＡ１に同期表示中の動画ファイルと同じ術式によってサーバ装置１３０に記録されている動画ファイルや該動画ファイルに関連する情報が、関連情報表示領域ＤＡ２に表示される。
或いは、関連情報表示領域ＤＡ２において「診断名」タグが選択されている場合（図示せず）、同期表示領域ＤＡ１に再生中の動画ファイルと同じ診断名によってサーバ装置１３０に記録されている動画ファイルや該動画ファイルに関連する情報が、関連情報表示領域ＤＡ２に表示される。
或いは、関連情報表示領域ＤＡ２において「同じ患者の動画」タグが選択されている場合（図示せず）、同期表示領域ＤＡ１に再生中の動画ファイルと同じ患者ＩＤに関連付けられてサーバ装置１３０に記録されている動画ファイルや該動画ファイルに関連する情報が、関連情報表示領域ＤＡ２に表示される。
なお、ここで列挙した関連情報表示領域ＤＡ２に表示される情報は例示であって、ここで挙げた以外の情報が関連情報表示領域ＤＡ２に表示されてもよいし、ここで挙げた情報の少なくとも一部が表示されなくてもよい。また、関連情報表示領域ＤＡ２に種々の情報を表示する際のレイアウトについても各図に図示したものは例示であって、本発明の実施にあたって関連情報表示領域ＤＡ２のレイアウトは図示したものに制限されない。
【００３４】
不図示の外部システムから入力されるイベント情報及び時刻情報はサーバ装置１３０に入力されて、施術に関する動画ファイルに関連付けられて該動画ファイルと共にサーバ装置１３０に蓄積される。即ち、本発明の外部入力手段は、サーバ装置１３０によって構成される。
【００３５】
図５と図６とを比べれば明らかであるように、同期表示領域ＤＡ１と関連情報表示領域ＤＡ２とは、メイン画面とサブ画面とに分割表示する場合と均等に四分割する場合とでは視聴端末装置１４０の表示領域を占有する割合が異なり、前者の場合に比べて後者の場合の方が、同期表示領域ＤＡ１が狭くなり、関連情報表示領域ＤＡ２が広くなる。
【００３６】
タイムライン表示領域ＤＡ３は、施術に関する複数の動画ファイルに対応する時間帯を表すタイムラインを、入力系統ごと（カメラ１１１〜カメラ１１４ごと）に表示する。
ここでタイムラインとは、線状又は帯状の表示であり、動画ファイルがどの時間帯に録画されているか、又は動画ファイルがどの時間帯に録画されていないか、を表すものである。
タイムライン表示領域ＤＡ３に表示されるタイムラインは、当該タイムラインに係る動画ファイルに対応付いているタイムコードを基準として表示されることが好ましい。また、各タイムラインは、識別可能に別々の表示態様（例えば、それぞれ色彩が異なる等）であることが好ましい。
【００３７】
タイムライン表示領域ＤＡ３には、タイムラインの他に、タイムラインに重畳するように、同期表示領域ＤＡ１において同期表示されている時点を示すカーソル１４１４が表示される（図１０参照）。
本実施形態におけるカーソル１４１４は、その時点（時刻と録画開始時からの経過時間の両方）を表示する窓枠と複数の入力系統に跨がる線状の表示とから構成されている。
カーソル１４１４は、同期表示領域ＤＡ１において同期表示されている時点を示す役割のみならず、例えば、ユーザの操作によって時間軸に沿って左右にスライドさせることによって、ユーザの任意の時点における動画ファイルを同期表示領域ＤＡ１において同期表示させる機能を更に備えている。
【００３８】
タイムライン表示領域ＤＡ３に表示されるタイムラインの上下にはタグ表示が表示される。
ここでタイムラインの上方に表示されるタグ表示は、関連情報表示領域ＤＡ２の「イベント」タグが選択されている場合に表示されるイベント情報に対応付いている時刻（タイムコード）をタイムライン上に示すものである。例えば、図１０におけるタグ表示１４１３は、カメラ１１１に関するタイムライン（「Ｖｉｄｅｏ．１」と図示されるタイムライン）の上方に付されるタグ表示であり、図７に図示されている「16:50:15  手術開始」というイベント情報１４１２に対応付いている。
そして、タイムラインの下方に表示されるタグ表示は、関連情報表示領域ＤＡ２の「コメント」タグが選択されている場合に表示されるコメント情報に対応付いている時刻（タイムコード）を示すものである。例えば、図１０におけるタグ表示１４１５は、カメラ１１１に関するタイムラインの下方に付されるタグ表示であり、図８に図示されている「17:04:08  カンファレンス１」というコメント情報１４０７（後述するコメント処理によって入力されたもの）及び同時刻の静止画像１４０４（後述するキャプチャ処理によって取り込んだもの）に対応付いている。
【００３９】
上記のタグ表示をタイムラインに対して付すため、サーバ装置１３０は以下のような第一タグ処理と第二タグ処理とを実行する。
第一タグ処理とは、タイムライン表示領域ＤＡ３に表示されているタイムラインに含まれる或る時点のタイムコードに対応付けて、該タイムラインの下方に対してタグ表示を付す処理である。
第二タグ処理とは、外部システムから入力したイベント情報及び時刻情報に基づいて、タイムライン表示領域ＤＡ３に表示されているタイムラインに含まれる或る時点のタイムコードに対応付けて、該タイムラインの上方にタグ表示を付す処理である。
第一タグ処理が、視聴端末装置１４０に対するユーザの操作入力（具体的には後述するキャプチャアイコン１４２６の操作）を契機として行われる処理であるのに対して、第二タグ処理は、外部システムから所定の情報を入力することを契機として自動的に行われる処理である点において相違する。
【００４０】
タイムラインの上下のいずれに付されるタグ表示についても、ポインタ１４０１で指定することによって、同期表示領域ＤＡ１に同期表示されている時点を、指定したタグ表示に対応付いている時刻（タイムコード）に変更することができる。このとき、カーソル１４１４の表示位置も、該時刻に対応する位置まで移動する。
【００４１】
タイムラインの上下のいずれに付されるタグ表示についても、そのタグ表示が示す時刻（タイムコード）と、カーソル１４１４が示す時点（同期表示領域ＤＡ１において同期表示されている時点）と、が一致した場合、その時刻に対応付いているイベント情報又はコメント情報が、そのタグ表示が付されているタイムラインに対応する入力系統の動画ファイルの表示領域に重畳して表示される。
【００４２】
メイン画面とサブ画面とに分割表示する場合、ポインタ１４０１をメイン画面に重畳させると、全画面表示アイコン１４０２がメイン画面中央に表示され、メイン画面に再生中の動画に対応する入力系統を示す入力系統表示１４０３がメイン画面右上隅部に表示され、メイン画面に再生中の動画ファイルから取り込んだ静止画像（後述するキャプチャ処理によって取り込んだもの）がメイン画面の下部に表示される（図７参照）。
このとき、ポインタ１４０１で全画面表示アイコン１４０２を操作することによって、メイン画面に再生中の動画が全画面表示になる（不図示）。
【００４３】
また、上記の場合において、メイン画面の下部に表示された静止画像（例えば、静止画像１４０４）にポインタ１４０１を重畳させると、コメント編集アイコン１４０５及び削除アイコン１４０６が、その静止画像１４０４の表示領域上に表示される。そして、静止画像１４０４に対応付けられているコメント情報１４０７と同様のコメント情報１４０８がメイン画面上に表示される（図８参照）。
削除アイコン１４０６をポインタ１４０１で操作すると、対象の静止画像１４０４と、これに対応付けられているコメント情報１４０７が削除されて、視聴端末装置１４０の表示領域から消滅する。
なお、コメント編集アイコン１４０５に係る処理については、本発明の編集処理に該当するものであるため後述する。
【００４４】
メイン画面とサブ画面とに分割表示する場合、ポインタ１４０１をサブ画面に重畳させると、全画面表示アイコン１４０９と表示切替アイコン１４１０がサブ画面に表示され、サブ画面に再生中の動画に対応する入力系統を示す入力系統表示１４１１がサブ画面右上隅部に表示される（図９参照）。
このとき、ポインタ１４０１で全画面表示アイコン１４０９を操作することによって、サブ画面に再生中の動画が全画面表示になる（不図示）。
また、このとき、ポインタ１４０１で表示切替アイコン１４１０を操作することによって、サブ画面に再生中の動画がメイン画面に再生中の動画と入れ替わる（不図示）。
【００４５】
タイムライン表示領域ＤＡ３の左下部には、再生速度選択アイコン１４１６が配設されている（図１０参照）。
再生速度選択アイコン１４１６は、同期表示領域ＤＡ１で同期表示中の動画の再生速度を選択するための操作アイコンである。
より詳細には、再生速度選択アイコン１４１６は、図１０に図示している左側から順に「０．５倍速」「等倍速」「１．５倍速」「２倍速」「４倍速」「６倍速」「８倍速」を選択するための操作アイコンである。
なお、ここで列挙した再生速度の選択肢は一具体例であって、本発明の実施においては適宜変更可能である。
【００４６】
タイムライン表示領域ＤＡ３の中央下部には、再生コントロール用の操作アイコンが配設されている（図１１参照）。
先ジャンプアイコン１４１７は、カーソル１４１４の表示位置（同期表示領域ＤＡ１に同期表示されている時点）を、その表示位置より先行側の最寄りの「コメント」タグの表示位置にジャンプさせるための操作アイコンである。
３０秒戻しアイコン１４１８は、同期表示領域ＤＡ１に同期表示されている時点を、３０秒前の時点に変更するための操作アイコンである。
１０秒戻しアイコン１４１９は、同期表示領域ＤＡ１に同期表示されている時点を、１０秒前の時点に変更するための操作アイコンである。
再生アイコン１４２０は、同期表示領域ＤＡ１において動画ファイルの再生を開始させるための操作アイコンである。
停止アイコン１４２１は、同期表示領域ＤＡ１における動画ファイルの再生を停止させるための操作アイコンである。
１０秒送りアイコン１４２２は、同期表示領域ＤＡ１に同期表示されている時点を、１０秒後の時点に変更するための操作アイコンである。
３０秒送りアイコン１４２３は、同期表示領域ＤＡ１に同期表示されている時点を、３０秒後の時点に変更するための操作アイコンである。
後ジャンプアイコン１４２４は、カーソル１４１４の表示位置（同期表示領域ＤＡ１に同期表示されている時点）を、その表示位置より後続側の最寄りの「コメント」タグの表示位置にジャンプさせるための操作アイコンである。
なお、ここで列挙した再生コントロール用の操作アイコンは例示であって、ここで挙げた以外の再生コントロール用の操作アイコンが設けられてもよいし、ここで挙げた再生コントロール用の操作アイコンの少なくとも一部が省かれてもよい。
また、ここで列挙した再生コントロール用の操作アイコンに関する機能は例示であって、本発明の実施にあたって同様の表示態様で設けられる操作アイコンが別の機能を実現してもよい。例えば、先ジャンプアイコン１４１７又は後ジャンプアイコン１４２４は、カーソル１４１４の表示位置を、その表示位置より先行側又は後続側の最寄りの「イベント」タグの表示位置にジャンプさせるものであってもよい。
【００４７】
タイムライン表示領域ＤＡ３の右下部には、以下のような操作アイコンが配設されている（図１２参照）。
分割態様選択部１４２５は、左側のアイコンを操作すると同期表示領域ＤＡ１がメイン画面とサブ画面とに分割され（図５参照）、右側のアイコンを操作すると同期表示領域ＤＡ１が四分割される（図６参照）。
時間軸選択アイコン１４２８は、タイムライン表示領域ＤＡ３における時間軸（横軸）の単位時間（本実施形態では１分）の表示幅を拡縮する操作を受け付けるボタンである。より詳細には、時間軸選択アイコン１４２８は、図１２に図示される左側から順に、タイムライン表示領域ＤＡ３における時間軸の単位時間の表示幅を最大にする操作アイコン、該表示幅を一段階広げる操作アイコン、該表示幅を一段階狭める操作アイコン、該表示幅を最小にする操作アイコンである。
キャプチャアイコン１４２６は、同期表示領域ＤＡ１に同期表示中の動画ファイルから静止画像をキャプチャするための操作アイコンである。
なお、キャプチャアイコン１４２６に係る処理については、それぞれが本発明の編集処理に該当するものであるため後述する。
【００４８】
＜同期表示される動画ファイルの編集処理について＞
続いて、同期表示領域ＤＡ１において同期表示される動画ファイルの編集処理について、図１３〜図１６を用いて説明する。
図１３は、視聴端末装置１４０においてキャプチャ処理画面ＤＡ４がポップアップした場合の具体例を示す図である。図１４は、視聴端末装置１４０において「セクション」タグが選択された場合の具体例を示す図である。図１５は、「セクション」タグが選択された場合における関連情報表示領域ＤＡ２を拡大した拡大図である。
【００４９】
ポインタ１４０１でキャプチャアイコン１４２６を操作すると、キャプチャ処理に関する操作を受け付けるためのキャプチャ処理画面ＤＡ４が視聴端末装置１４０にポップアップされる（図１３参照）。
ここで「ポップアップされる」とは、視聴端末装置１４０に表示されている他の表示領域（例えば、同期表示領域ＤＡ１やタイムライン表示領域ＤＡ３等）より前面（上位のレイヤー）に表示されることをいう。
【００５０】
キャプチャ処理画面ＤＡ４には、キャプチャアイコン１４２６を操作した時点において同期表示領域ＤＡ１に同期表示されている動画ファイルの画像（図１３においてはメイン画面の画像（Ｖｉｄｅｏ１の画像））が取り込まれて（キャプチャされて）、静止画像１４３３として表示される。
キャプチャ処理画面ＤＡ４には、静止画像１４３３の他にも、コメント情報を入力するためのコメント入力欄１４３０と、キャプチャした静止画像を保存するための保存アイコン１４３１と、キャプチャ処理画面ＤＡ４の表示を消す（キャプチャ処理を止める）ための消去アイコン１４３２と、が表示される。
【００５１】
コメント入力欄１４３０には、不図示の操作手段（例えば、キーボード等）に対するユーザの操作入力に基づいて、ユーザが任意のコメント情報を入力することができる。
コメント入力欄１４３０にテキスト情報を入力した上で、ポインタ１４０１で保存アイコン１４３１を操作すると、入力されたコメント情報が、静止画像１４３３及び静止画像１４３３に対応するタイムコードと対応付けられてサーバ装置１３０に保存される。
コメント入力欄１４３０にテキスト情報を入力せずに、ポインタ１４０１で保存アイコン１４３１を操作すると、テキスト情報が入力されなかった旨が認識できるコメント情報（例えば、「Untitled」等）が、静止画像１４３３及び静止画像１４３３に対応するタイムコードと対応付けられてサーバ装置１３０に保存される。
【００５２】
キャプチャ処理画面ＤＡ４は、キャプチャアイコン１４２６が操作された場合に限られず、コメント編集アイコン１４０５が操作された場合にも同様に、視聴端末装置１４０にポップアップされる。
この場合におけるキャプチャ処理画面ＤＡ４の表示態様や、各操作アイコンの操作に応じて行われる処理についても、上記と同様であるため、詳細な説明は割愛する。
【００５３】
上記のキャプチャ処理について整理すると、以下のようになる。
先ず、サーバ装置１３０は、キャプチャアイコン１４２６の操作に応じて、タイムライン表示領域ＤＡ３に表示されているタイムラインに対応する動画ファイルに含まれる画像を、静止画像として取り出すキャプチャ処理を実行できる。
更に、上記のキャプチャ処理が実行される場合、サーバ装置１３０は、該画像に対応するタイムコード（即ち、該タイムラインに含まれる或る時点のタイムコード）に対応付けて、該タイムラインの下方にタグ表示を付す第一タグ処理と、第一タグ処理によって付されたタグ表示に対応するタイムコードに対応付けて任意のコメントを、ユーザの操作入力に基づいて入力するコメント処理と、を併せて実行できる。
即ち、キャプチャアイコン１４２６の操作は、キャプチャ処理と第一タグ処理とコメント処理の契機となるユーザの操作入力である。なお、上記のキャプチャ処理と第一タグ処理の対象となるタイムラインは、本実施形態の各図では「Ｖｉｄｅｏ．１」に係るタイムライン（カメラ１１１に関するタイムライン）のみであるかのように図示されているが、他のタイムライン（カメラ１１２〜１１４に関するタイムライン）を対象として同様の処理が実行されてもよい。
【００５４】
医療動画処理システム１００を利用するユーザは、上記のようなキャプチャ処理を実行する際に、同期表示領域ＤＡ１に表示されている動画、関連情報表示領域ＤＡ２に表示されている関連情報、及びタイムライン表示領域ＤＡ３に表示されているタイムライン（時系列上方）を参照しながら該キャプチャ処理を実行できる。従って、ユーザは所望の静止画像を、同期表示領域ＤＡ１に表示中の動画ファイルから容易に探し出して保存することができる。
【００５５】
次に、ポインタ１４０１で関連情報表示領域ＤＡ２の「セクション」タグを操作すると、セクション特定処理に関する操作を受け付けるための種々の操作アイコン等と、セクション特定処理によって指定されたセクションの一覧が表示される（図１４参照）。
なお、本実施形態では、セクション特定処理に関する操作アイコン等が関連情報表示領域ＤＡ２に表示される実施態様で説明するが、キャプチャ処理と同様に、セクション特定処理に関する操作アイコンを含む別の表示領域が視聴端末装置１４０の画面上にポップアップされてもよい。
【００５６】
関連情報表示領域ＤＡ２の「セクション」タグには、以下のようなものが表示される（図１５参照）。
【００５７】
セクション表示部１４４０は、従前に指定されたセクションを表示する。図１５に図示する例でいえば、セクション表示部１４４０は、録画されている全時間帯を無地のタイムラインで表し、セクション特定処理によって指定された各セクションが該全時間帯のうちどの時間帯に該当するものであるかを斜線部で表している。ここで「録画されている全時間帯」とは、施術が行われている期間においてカメラ１１１〜１１４のうち少なくとも一つが撮影している時間帯を合わせたものをいう。本実施形態においては、カメラ１１１から入力される動画ファイルは、施術が行われている期間を通して録画されているものであるため、該動画ファイルに関するタイムライン（図５等において「Ｖｉｄｅｏ．１」と図示されるタイムライン）が表す時間帯が「録画されている全時間帯」に等しい。即ち、セクション表示部１４４０におけるタイムラインの無地の部分は、同期表示領域ＤＡ１に表示される「Ｖｉｄｅｏ．１」の動画ファイルの録画時間と同等の時間長さを表すものである。
入力系統指定ボックス１４４１は、セクション表示部１４４０に表示されている各セクション（斜線部で表す時間帯）において、そのセクションを対象とする入力系統（カメラ１１１〜カメラ１１４）を指定するチェックボックスである。例えば、「Ｖ１」「Ｖ２」「Ｖ３」「Ｖ４」と表記されているチェックボックスをチェックすると、それぞれカメラ１１１、カメラ１１２、カメラ１１３、カメラ１１４から入力した動画ファイルが対象となる。各チェックボックスは、ポインタ１４０１による操作でユーザが任意でチェックしたりチェックを外したりすることができる。但し、各セクションにおいてチェックボックスに対応する入力系統の動画ファイルが存在しない場合（録画されていない場合）、そのチェックボックスがチェック不能となるように構成され、無用な指定ができないようになっている。
セクション番号表示部１４３６は、そのセクションの識別番号（例えば「＃１」〜「＃６」等と表記されるもの）と、そのセクションを指定するチェックボックスと、を含む。セクション番号表示部１４３６に含まれるチェックボックスは、後述するセクション削除アイコン１４４７やダウンロードアイコン１４４８の操作に応じた処理に用いられる。
個別再生アイコン１４３７は、そのセクションに対応付けられた動画ファイルを同期表示領域ＤＡ１に同期表示させる操作を受け付ける操作アイコンである。個別再生アイコン１４３７の操作に応じて同期表示される動画ファイルは、セクション表示部１４４０に表示されているセクションに対応しており、且つ、入力系統指定ボックス１４４１で指定されている入力系統の動画ファイルである。
個別ダウンロードアイコン１４３８は、そのセクションを指定の保存先（後述する保存先チェックボックス１４４５で指定された記憶領域）にダウンロードさせる操作を受け付ける操作アイコンである。個別ダウンロードアイコン１４３８の操作に応じてダウンロードされる動画ファイルは、セクション表示部１４４０に表示されているセクションに対応しており、且つ、入力系統指定ボックス１４４１で指定されている入力系統の動画ファイルである。
【００５８】
開始終了入力欄１４４４は、セクション特定処理によって指定する開始時点及び終了時点の入力を受け付ける表示欄である。開始終了入力欄１４４４は、左側から順に、「時間」単位で数値を入力する欄と、「分」単位で数値を入力する欄と、「秒」単位で数値を入力する欄と、から構成される。開始終了入力欄１４４４の各欄には、不図示の操作手段（例えば、キーボード等）に対するユーザの操作入力に基づいて、ユーザが任意の数値を入力することができる。
開始時点設定アイコン１４４２は、カーソル１４１４の表示位置（同期表示領域ＤＡ１に同期表示されている時点）を、開始終了入力欄１４４４における開始時点の表示欄に入力する操作を受け付ける操作アイコンである。
終了時点設定アイコン１４４３は、カーソル１４１４の表示位置（同期表示領域ＤＡ１に同期表示されている時点）を、開始終了入力欄１４４４における終了時点の表示欄に入力する操作を受け付ける操作アイコンである。
保存先チェックボックス１４４５は、個別ダウンロードアイコン１４３８やダウンロードアイコン１４４８の操作に応じて行われるダウンロード処理において、保存先となる記憶領域を指定するチェックボックスである。なお、図１５において「Ｍｙ Ｖｉｄｅｏ」と表記される記憶領域はその時点でログインしているユーザの為にサーバ装置１３０に設けられた記憶領域を意味し、「視聴端末」とはその時点でユーザが閲覧している視聴端末装置１４０に設けられた記憶領域を意味している。
【００５９】
セクション追加アイコン１４４６は、その時点で開始終了入力欄１４４４に入力されている開始時点と終了時点に従って、セクション表示部１４４０に表示するセクションを追加する操作を受け付ける操作アイコンである。
セクション削除アイコン１４４７は、その時点においてセクション番号表示部１４３６のチェックボックスにチェックが入っているセクションを削除する（セクション表示部１４４０に表示されている一覧から消去する）操作を受け付ける操作アイコンである。
ダウンロードアイコン１４４８は、その時点においてセクション番号表示部１４３６のチェックボックスにチェックが入っているセクションに対応しており、且つ、各セクションにおいて入力系統指定ボックス１４４１で指定されている入力系統の動画ファイルを、保存先チェックボックス１４４５で指定された記憶領域にダウンロードさせる操作を受け付ける操作アイコンである。
【００６０】
サーバ装置１３０は、上記のような入力及び設定に基づいて、タイムライン表示領域ＤＡ３に表示されているタイムラインに含まれる開始時点（第一時点）のタイムコードから終了時点（第二時点）のタイムコードまでの時間帯を特定するセクション特定処理を実行する。
サーバ装置１３０は、セクション特定処理によって特定された時間帯（セクション）に含まれるタイムコードに対応付いている動画ファイルから、該時間帯の映像部分をダウンロードするダウンロード処理を実行することができる。また、「＃１」と表記されるセクションのように、そのセクションに含まれるタイムコードに対応付いている動画ファイルが複数指定されている場合、サーバ装置１３０は、指定した複数の動画ファイルに対して一括的にダウンロード処理を実行することができる。
【００６１】
医療動画処理システム１００を利用するユーザは、上記のようなダウンロード処理を実行可能であるため、容易に所望の時間帯に撮影されている映像部分のみを抽出した新たな一又は複数の動画ファイルを入手することができる。
【００６２】
＜本発明の変形例について＞
ここまで各図を用いて説明される実施形態に即して本発明を説明したが、本発明は上述の実施形態に限定されるものではなく、本発明の目的が達成される限りにおける種々の変形、改良等の態様も含む。
【００６３】
上記の実施形態の説明においては図１に図示する構成要素を前提として説明したが、本発明の各構成要素は、その機能を実現するように形成されていればよい。従って、本発明の各構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
例えば、本発明に係る医療動画処理システムには、カメラ１１１〜カメラ１１４に相当する撮影装置が含まれなくてもよく、システム外部の撮影装置から入力される動画ファイルについて処理してもよいし、撮影装置とは異なる装置（例えば、医療用の計測装置等）から入力される動画ファイルについて処理してもよい。
【００６４】
上記の実施形態において述べた種々の操作は、一具体例であって、本発明の実施はこれに制限されるものではない。従って、上記の各操作は別の操作に置換されてもよいし、一部が省かれてもよいし、実施形態で説明していない他の操作が追加されてもよい。
【００６５】
上記の実施形態において述べた種々の表示態様は、一具体例であって、本発明の実施はこれに制限されるものではない。従って、上記の各表示は別の表示に置換されてもよいし、一部が省かれてもよいし、実施形態で説明していない他の表示が追加されてもよい。
【００６６】
上記の実施形態において述べた種々の編集処理は、一具体例であって、本発明の実施はこれに制限されるものではない。従って、上記の各編集処理は一部が省かれてもよいし、実施形態で説明していない他の編集処理が追加されてもよい。
例えば、上記の第一タグ処理や第二タグ処理によってタグ表示が付されるタイムラインはカメラ１１１に対応するタイムラインのみであるかのように図示したが、他のタイムラインに対してタグ表示が付されてもよい。
【００６７】
上述の実施形態において、カメラ１１１から入力される動画ファイルは、施術が行われている期間を通して録画されているものであり、且つ、該動画ファイルに関するタイムライン（図５等において「Ｖｉｄｅｏ．１」と図示されるタイムライン）は、施術が行われている期間を表しているに等しいものとして説明したが、本発明の実施はこの態様に限られない。即ち、本発明の実施において、施術が行われている期間を通して録画されている動画ファイルが必ずしも存在する必要はなく、視聴端末装置１４０（同期表示領域ＤＡ１）に同期表示する全ての動画ファイルが、録画が停止している時間帯を含むものであってもよい。
【００６８】
上記の実施形態においては、関連情報表示領域ＤＡ２の「セクション」タグに表示される操作アイコン等を用いてダウンロード処理の対象とするセクションを特定する方法を説明したが、セクションを特定する処理はこのような方法に限られず以下の方法による入力も可能である。
例えば、タイムラインの上下に付されているタグ表示（第一タグ処理又は第二タグ処理によって付されたタグ表示）をポインタ１４０１で指定し、指定したタグ表示に対応付いている時刻（タイムコード）が、セクションの開始時点や終了時点として入力されることも許容される。換言すると、セクション特定処理を実行する場合の少なくとも一部において、セクションの開始時点（第一時点）及びセクションの終了時点（第二時点）のうち少なくとも一方を、第一タグ処理又は第二タグ処理によって付されたタグ表示を指定するユーザの操作入力に基づいて特定することができてもよい。
【００６９】
上記の実施形態において述べた各操作アイコンの表示位置は、一具体例であって、本発明の実施はこれに制限されるものではない。但し、本発明の編集処理に係わる操作アイコンについては、タイムライン表示領域及び同期表示領域を参照しながら操作できる位置に表示されることが好ましい。換言するならば、本発明の編集処理に係わる操作アイコンは、本発明のタイムライン表示領域及び同期表示領域が表示される表示手段に表示されることが好ましい。ここで「タイムライン表示領域及び同期表示領域が表示される表示手段に表示される」という概念には、同じ表示枠（ウィンドウ）に表示されることに限られず、上記の実施形態のように別々の表示枠に表示されること（図１３や図１４参照）や、同じプラットフォームの制御下にある複数の表示装置（マルチモニタ）に別々に表示されること等も含まれる。
【００７０】
本実施形態は以下の技術思想を包含する。
（１）施術に関する複数の動画ファイルを複数の入力系統に分けて入力する動画入力手段と、前記動画入力手段が入力した複数の動画ファイルを、前記施術が行われている期間の或る時点を始点として定められる共通のタイムコードに対応付けて記憶する記憶手段と、前記記憶手段に記憶されている複数の動画ファイル及び動画ファイルに関する情報を表示する表示手段と、前記表示手段に対するユーザの操作入力を受け付ける操作入力手段と、を備え、前記表示手段の表示領域には、前記施術に関する複数の動画ファイルに対応する時間帯を表す複数のタイムラインを、前記入力系統ごとに分けて表示するタイムライン表示領域と、前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、前記操作入力手段が受け付けた操作入力に基づいて、前記同期表示領域に同期表示されている動画ファイルに関する編集処理を実行する編集手段を、更に備える医療動画処理システム。
（２）前記編集手段は、前記タイムライン表示領域に表示されている前記タイムラインに含まれる或る時点の前記タイムコードに対応付けて、該タイムラインに対してタグ表示をユーザの操作入力に基づいて付す第一タグ処理と、前記第一タグ処理によって付されたタグ表示に対応する前記タイムコードに対応付けて任意のコメントを、ユーザの操作入力に基づいて入力するコメント処理と、を実行する（１）に記載の医療動画処理システム。
（３）前記編集手段は、前記タイムライン表示領域に表示されている前記タイムラインに対応する動画ファイルに含まれる画像を、静止画像として取り出すキャプチャ処理を実行する場合に、前記第一タグ処理を実行して該画像に対応する前記タイムコードに対応付けてタグ表示を付す（２）に記載の医療動画処理システム。
（４）前記編集手段は、前記タイムライン表示領域に表示されている前記タイムラインに含まれる第一時点の前記タイムコードから第二時点の前記タイムコードまでの時間帯を、ユーザの操作入力に基づいて特定する特定処理と、前記特定処理によって特定された時間帯に含まれる前記タイムコードに対応付いている動画ファイルから、該時間帯の映像部分をダウンロードするダウンロード処理と、を実行する（２）又は（３）に記載の医療動画処理システム。
（５）前記編集手段は、前記特定処理によって特定された前記時間帯に含まれる前記タイムコードに対応付いている動画ファイルを複数指定した場合、複数の動画ファイルに対して前記ダウンロード処理を実行する（４）に記載の医療動画処理システム。
（６）前記特定処理を実行する場合の少なくとも一部において、前記第一時点及び前記第二時点のうち少なくとも一方を、前記第一タグ処理によって付されたタグ表示を指定するユーザの操作入力に基づいて特定する（４）又は（５）に記載の医療動画処理システム。
（７）前記施術に関するイベント情報及び該イベント情報に対応する時刻情報を、外部システムから入力する外部入力手段を備え、前記編集手段は、前記外部入力手段が入力した前記イベント情報及び前記時刻情報に基づいて、前記タイムライン表示領域に表示されている前記タイムラインに含まれる或る時点の前記タイムコードに対応付けて、該タイムラインに対してタグ表示を付す第二タグ処理を実行する（１）から（６）のいずれか一項に記載の医療動画処理システム。
（８）前記特定処理を実行する場合の少なくとも一部において、前記第一時点及び前記第二時点のうち少なくとも一方を、前記第二タグ処理によって付されたタグ表示を指定するユーザの操作入力に基づいて特定する（４）乃至（６）に従属している（７）に記載の医療動画処理システム。
（９）前記施術の術野と、前記施術の被施術者に関する生体情報を表示する生体情報モニタと、を撮影する複数の撮影装置と、複数の前記撮影装置による撮影に関する制御を、ユーザの操作に基づいて行う撮影制御手段と、を備え、複数の前記動画入力手段は、前記複数の前記撮影装置ごとに動画ファイルを入力する（１）から（８）のいずれか一つに記載の医療動画処理システム。
【符号の説明】
【００７１】
１００  動画処理システム
１１１、１１２、１１３、１１４  カメラ
１２０  エンコーダ
１３０  サーバ装置
１４０  視聴端末装置
１２０１  入力画面
１２０２  出力画面
１２０３  状態表示
１２０４  録画開始ボタン
１２０５  録画停止ボタン
１２０６  静止画撮影ボタン
１２０７  録画一時停止ボタン
１２０８  施術情報表示
１２０９  出力情報表示
１２１０  拡張表示作動ボタン
１２１１、１２１２、１２１３  サブ画面
１２１４  拡張表示停止ボタン
１４０１  ポインタ
１４０２、１４０９  全画面表示アイコン
１４０３  入力系統表示
１４０４  静止画像
１４０５  コメント編集アイコン
１４０６  削除アイコン
１４０７、１４０８  コメント情報
１４１０  表示切替アイコン
１４１１  入力系統表示
１４１２  イベント情報
１４１３、１４１５  タグ表示
１４１４  カーソル
１４１６  再生速度選択アイコン
１４１７  先ジャンプアイコン
１４１８  ３０秒戻しアイコン
１４１９  １０秒戻しアイコン
１４２０  再生アイコン
１４２１  停止アイコン
１４２２  １０秒送りアイコン
１４２３  ３０秒送りアイコン
１４２４  後ジャンプアイコン
１４２５  分割態様選択部
１４２６  キャプチャアイコン
１４２８  時間軸選択アイコン
１４３０  コメント入力欄
１４３１  保存アイコン
１４３２  消去アイコン
１４３３  静止画像
１４３６  セクション番号表示部
１４３７  個別再生アイコン
１４３８  個別ダウンロードアイコン
１４４０  セクション表示部
１４４１  入力系統指定ボックス
１４４２  開始時点設定アイコン
１４４３  終了時点設定アイコン
１４４４  開始終了入力欄
１４４５  保存先チェックボックス
１４４６  セクション追加アイコン
１４４７  セクション削除アイコン
１４４８  ダウンロードアイコン
ＤＡ１  同期表示領域
ＤＡ２  関連情報表示領域
ＤＡ３  タイムライン表示領域
ＤＡ４  キャプチャ処理画面
【図１】
2019118040.tif 000003
【図２】
2019118040.tif 000004
【図３】
2019118040.tif 000005
【図４】
2019118040.tif 000006
【図５】
2019118040.tif 000007
【図６】
2019118040.tif 000008
【図７】
2019118040.tif 000009
【図８】
2019118040.tif 000010
【図９】
2019118040.tif 000011
【図１０】
2019118040.tif 000012
【図１１】
2019118040.tif 000013
【図１２】
2019118040.tif 000014
【図１３】
2019118040.tif 000015
【図１４】
2019118040.tif 000016
【図１５】
2019118040.tif 000017
【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
施術に関する複数の動画ファイルを複数の入力系統に分けて入力する動画入力手段と、
前記動画入力手段が入力した複数の動画ファイルを、前記施術が行われている期間の或る時点を始点として定められる共通のタイムコードに対応付けて記憶する記憶手段と、
前記記憶手段に記憶されている複数の動画ファイル及び動画ファイルに関する情報を表示する表示手段と、
前記表示手段に対するユーザの操作入力を受け付ける操作入力手段と、
を備え、
前記表示手段の表示領域には、
前記施術に関する複数の動画ファイルに対応する時間帯を表す複数のタイムラインを、前記入力系統ごとに分けて表示するタイムライン表示領域と、
前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、
前記操作入力手段が受け付けた操作入力に基づいて、前記同期表示領域に同期表示されている動画ファイルに関する編集処理を実行する編集手段を、更に備え、
前記編集手段は、
前記表示手段に対する第一操作入力を契機として、当該第一操作入力を受け付けた時点で同期表示されている複数の動画ファイルのうち一の動画ファイルに含まれる画像を、静止画像として取り込むキャプチャ処理と、前記キャプチャ処理が実行されると当該キャプチャ処理によって取り込んだ前記静止画像と共に、ユーザによる任意のコメント情報の入力を受け付けるコメント入力欄を、前記表示手段に表示させる第一コメント入力表示処理と、を実行し、
前記第一コメント入力表示処理によって表示された前記コメント入力欄に前記コメント情報が入力された場合、入力された前記コメント情報と前記静止画像と当該静止画像に対応する前記タイムコードとを対応付けて保存する第一保存処理と、保存した前記静止画像に対応付けた前記タイムコードを示すタグ表示を前記タイムラインに付す第一タグ処理と、を実行する医療動画処理システム。
【請求項２】
前記編集手段は、
前記表示手段に対する第二操作入力を契機として、前記キャプチャ処理によって取り込んだ前記静止画像を前記表示手段に表示させるキャプチャ画像表示処理と、
前記キャプチャ画像表示処理によって前記静止画像が表示されている場合に受付可能な第三操作入力を契機として、当該静止画像と共に前記コメント入力欄を前記表示手段に表示させる第二コメント入力表示処理と、を実行し、
前記第二コメント入力表示処理によって表示された前記コメント入力欄に前記コメント情報が入力された場合にも、前記第一保存処理と前記第一タグ処理とを実行する請求項１に記載の医療動画処理システム。
【請求項３】
前記編集手段は、
前記第一コメント入力表示処理又は前記第二コメント入力表示処理によって表示された前記コメント入力欄に前記コメント情報が入力されなかった場合、入力されなかった旨が認識できる前記コメント情報と前記静止画像と当該静止画像に対応する前記タイムコードとを対応付けて保存する第二保存処理と前記第一タグ処理とを実行する請求項２に記載の医療動画処理システム。
【請求項４】
施術に関する複数の動画ファイルを複数の入力系統に分けて入力する動画入力手段と、
前記動画入力手段が入力した複数の動画ファイルを、前記施術が行われている期間の或る時点を始点として定められる共通のタイムコードに対応付けて記憶する記憶手段と、
前記記憶手段に記憶されている複数の動画ファイル及び動画ファイルに関する情報を表示する表示手段と、
前記表示手段に対するユーザの操作入力を受け付ける操作入力手段と、
を備え、
前記表示手段の表示領域には、
前記施術に関する複数の動画ファイルに対応する時間帯を表す複数のタイムラインを、前記入力系統ごとに分けて表示するタイムライン表示領域と、
前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、
前記操作入力手段が受け付けた操作入力に基づいて、前記同期表示領域に同期表示されている動画ファイルに関する編集処理を実行する編集手段を、更に備え、
前記編集手段は、
前記タイムライン表示領域に表示されている前記タイムラインに含まれる第一時点の前記タイムコードから第二時点の前記タイムコードまでの時間帯であるセクションを、前記表示手段に対する操作入力に基づいて特定するセクション特定処理と、
前記セクション特定処理によって特定された前記セクションのうち一部又は全部を、前記表示手段に対する操作入力に基づいて指定するセクション指定処理と、
前記セクション特定処理によって特定された前記セクションを対象とする前記複数の入力系統の一部又は全部を、前記表示手段に対する操作入力に基づいて指定する入力系統指定処理と、
前記セクション指定処理によって指定された前記セクションに対応しており且つ前記入力系統指定処理によって指定された入力系統の動画ファイルを、前記表示手段に対する一回の操作入力を契機として一括的にダウンロードするダウンロード処理と、
を実行する医療動画処理システム。
【請求項５】
前記編集手段が実行する前記セクション特定処理において、前記表示手段に対する操作入力を受け付けた際に前記同期表示領域に同期表示されている時点に対応付いているタイムコードを、前記第一時点又は前記第二時点の少なくとも一方として特定する請求項４に記載の医療動画処理システム。
【請求項６】
前記施術に関するイベント情報及び該イベント情報に対応する時刻情報を、外部システムから入力する外部入力手段を備え、
前記編集手段は、前記外部入力手段が入力した前記イベント情報及び前記時刻情報に基づいて、前記タイムライン表示領域に表示されている前記タイムラインに含まれる或る時点の前記タイムコードに対応付けて、該タイムラインに対してタグ表示を付す第二タグ処理を実行する請求項１から５のいずれか一項に記載の医療動画処理システム。
【請求項７】
前記施術の術野と、前記施術の被施術者に関する生体情報を表示する生体情報モニタと、を撮影する複数の撮影装置と、
複数の前記撮影装置による撮影に関する制御を、ユーザの操作に基づいて行う撮影制御手段と、を備え、
複数の前記動画入力手段は、前記複数の前記撮影装置ごとに動画ファイルを入力する請求項１から６のいずれか一項に記載の医療動画処理システム。
【手続補正２】
【補正対象書類名】明細書
【補正対象項目名】０００８
【補正方法】変更
【補正の内容】
【０００８】
本発明によれば、施術に関する複数の動画ファイルを複数の入力系統に分けて入力する動画入力手段と、前記動画入力手段が入力した複数の動画ファイルを、前記施術が行われている期間の或る時点を始点として定められる共通のタイムコードに対応付けて記憶する記憶手段と、前記記憶手段に記憶されている複数の動画ファイル及び動画ファイルに関する情報を表示する表示手段と、前記表示手段に対するユーザの操作入力を受け付ける操作入力手段と、を備え、前記表示手段の表示領域には、前記施術に関する複数の動画ファイルに対応する時間帯を表す複数のタイムラインを、前記入力系統ごとに分けて表示するタイムライン表示領域と、前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、前記操作入力手段が受け付けた操作入力に基づいて、前記同期表示領域に同期表示されている動画ファイルに関する編集処理を実行する編集手段を、更に備え、前記編集手段は、前記表示手段に対する第一操作入力を契機として、当該第一操作入力を受け付けた時点で同期表示されている複数の動画ファイルのうち一の動画ファイルに含まれる画像を、静止画像として取り込むキャプチャ処理と、前記キャプチャ処理が実行されると当該キャプチャ処理によって取り込んだ前記静止画像と共に、ユーザによる任意のコメント情報の入力を受け付けるコメント入力欄を、前記表示手段に表示させる第一コメント入力表示処理と、を実行し、前記第一コメント入力表示処理によって表示された前記コメント入力欄に前記コメント情報が入力された場合、入力された前記コメント情報と前記静止画像と当該静止画像に対応する前記タイムコードとを対応付けて保存する第一保存処理と、保存した前記静止画像に対応付けた前記タイムコードを示すタグ表示を前記タイムラインに付す第一タグ処理と、を実行する医療動画処理システムが提供される。
また、本発明によれば、施術に関する複数の動画ファイルを複数の入力系統に分けて入力する動画入力手段と、前記動画入力手段が入力した複数の動画ファイルを、前記施術が行われている期間の或る時点を始点として定められる共通のタイムコードに対応付けて記憶する記憶手段と、前記記憶手段に記憶されている複数の動画ファイル及び動画ファイルに関する情報を表示する表示手段と、前記表示手段に対するユーザの操作入力を受け付ける操作入力手段と、を備え、前記表示手段の表示領域には、前記施術に関する複数の動画ファイルに対応する時間帯を表す複数のタイムラインを、前記入力系統ごとに分けて表示するタイムライン表示領域と、前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、前記操作入力手段が受け付けた操作入力に基づいて、前記同期表示領域に同期表示されている動画ファイルに関する編集処理を実行する編集手段を、更に備え、前記編集手段は、前記タイムライン表示領域に表示されている前記タイムラインに含まれる第一時点の前記タイムコードから第二時点の前記タイムコードまでの時間帯であるセクションを、前記表示手段に対する操作入力に基づいて特定するセクション特定処理と、前記セクション特定処理によって特定された前記セクションのうち一部又は全部を、前記表示手段に対する操作入力に基づいて指定するセクション指定処理と、前記セクション特定処理によって特定された前記セクションを対象とする前記複数の入力系統の一部又は全部を、前記表示手段に対する操作入力に基づいて指定する入力系統指定処理と、前記セクション指定処理によって指定された前記セクションに対応しており且つ前記入力系統指定処理によって指定された入力系統の動画ファイルを、前記表示手段に対する一回の操作入力を契機として一括的にダウンロードするダウンロード処理と、を実行する医療動画処理システムが提供される。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
施術に関する複数の動画ファイルを複数の入力系統に分けて入力する動画入力手段と、
前記動画入力手段が入力した複数の動画ファイルを、前記施術が行われている期間の或る時点を始点として定められる共通のタイムコードに対応付けて記憶する記憶手段と、
前記記憶手段に記憶されている複数の動画ファイル及び動画ファイルに関する情報を表示する表示手段と、
前記表示手段に対するユーザの操作入力を受け付ける操作入力手段と、
を備え、
前記表示手段の表示領域には、
前記施術に関する複数の動画ファイルに対応する時間帯を表す複数のタイムラインを、前記入力系統ごとに分けて表示するタイムライン表示領域と、
前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、
前記操作入力手段が受け付けた操作入力に基づいて、前記同期表示領域に同期表示されている動画ファイルに関する編集処理を実行する編集手段を、更に備え、
前記編集手段は、
前記タイムライン表示領域に表示されている前記タイムラインに含まれる第一時点の前記タイムコードから第二時点の前記タイムコードまでの時間帯であるセクションを、前記表示手段に対する操作入力に基づいて特定するセクション特定処理と、
前記セクション特定処理によって特定された前記セクションのうち一部又は全部を、前記表示手段に対する操作入力に基づいて指定するセクション指定処理と、
前記セクション特定処理によって特定された前記セクションを対象とする前記複数の入力系統の一部又は全部を、前記表示手段に対する操作入力に基づいて指定する入力系統指定処理と、
前記セクション指定処理によって指定された前記セクションに対応しており且つ前記入力系統指定処理によって指定された前記入力系統の動画ファイルを、前記表示手段に対する一回の操作入力を契機として一括的にダウンロードするダウンロード処理と、
を実行する医療動画処理システム。
【請求項２】
前記編集手段が実行する前記セクション特定処理において、前記表示手段に対する操作入力を受け付けた際に前記同期表示領域に同期表示されている時点に対応付いている前記タイムコードを、前記第一時点又は前記第二時点の少なくとも一方として特定する請求項１に記載の医療動画処理システム。
【請求項３】
前記施術に関するイベント情報及び該イベント情報に対応する時刻情報を、外部システムから入力する外部入力手段を備え、
前記編集手段は、前記外部入力手段が入力した前記イベント情報及び前記時刻情報に基づいて、前記タイムライン表示領域に表示されている前記タイムラインに含まれる或る時点の前記タイムコードに対応付けて、該タイムラインに対してタグ表示を付す第二タグ処理を実行する請求項１又は２に記載の医療動画処理システム。
【請求項４】
前記施術の術野と、前記施術の被施術者に関する生体情報を表示する生体情報モニタと、を撮影する複数の撮影装置と、
複数の前記撮影装置による撮影に関する制御を、ユーザの操作に基づいて行う撮影制御手段と、を備え、
複数の前記動画入力手段は、前記複数の前記撮影装置ごとに動画ファイルを入力する請求項１から３のいずれか一項に記載の医療動画処理システム。
【手続補正２】
【補正対象書類名】明細書
【補正対象項目名】０００８
【補正方法】変更
【補正の内容】
【０００８】
本発明によれば、施術に関する複数の動画ファイルを複数の入力系統に分けて入力する動画入力手段と、前記動画入力手段が入力した複数の動画ファイルを、前記施術が行われている期間の或る時点を始点として定められる共通のタイムコードに対応付けて記憶する記憶手段と、前記記憶手段に記憶されている複数の動画ファイル及び動画ファイルに関する情報を表示する表示手段と、前記表示手段に対するユーザの操作入力を受け付ける操作入力手段と、を備え、前記表示手段の表示領域には、前記施術に関する複数の動画ファイルに対応する時間帯を表す複数のタイムラインを、前記入力系統ごとに分けて表示するタイムライン表示領域と、前記タイムライン表示領域に表示されている前記タイムラインに対応する複数の動画ファイルに含まれる画像のうち、当該タイムラインに含まれる或る時点の前記タイムコードに対応付いている複数の画像の少なくとも一部を同期表示する同期表示領域と、が含まれ、前記操作入力手段が受け付けた操作入力に基づいて、前記同期表示領域に同期表示されている動画ファイルに関する編集処理を実行する編集手段を、更に備え、前記編集手段は、前記タイムライン表示領域に表示されている前記タイムラインに含まれる第一時点の前記タイムコードから第二時点の前記タイムコードまでの時間帯であるセクションを、前記表示手段に対する操作入力に基づいて特定するセクション特定処理と、前記セクション特定処理によって特定された前記セクションのうち一部又は全部を、前記表示手段に対する操作入力に基づいて指定するセクション指定処理と、前記セクション特定処理によって特定された前記セクションを対象とする前記複数の入力系統の一部又は全部を、前記表示手段に対する操作入力に基づいて指定する入力系統指定処理と、前記セクション指定処理によって指定された前記セクションに対応しており且つ前記入力系統指定処理によって指定された前記入力系統の動画ファイルを、前記表示手段に対する一回の操作入力を契機として一括的にダウンロードするダウンロード処理と、を実行する医療動画処理システムが提供される。